(57)【要約】【課題】偏光位置合わせ検出装置及び検出方法を提供する。【解決手段】  本発明の偏光位置合わせ検出装置及び検出方法は、該検出装置が直線偏光光源の光源射出面によって外向きに面光源を偏光素子の一側に投射する受光面を設け、偏光素子は、空間信号を光源に取り込み、光源を他側の発光面から外向きに投射し、光源は、被検体を透過して他側の偏光シートに投射し、偏光シートによって被検体の直線偏光光源を受光し、偏光信号をフィルタリングし、光源を他側の検出システムの撮像レンズに投射し、検出システムによって直線偏光光源を検出し、被検体及び偏光シートに偏光検出を行い、貼合する目的を達成することができる。【選択図】図２
2020148522.tif 000002
【特許請求の範囲】
【請求項１】
直線偏光光源、偏光素子、偏光シート及び検出システムを含み、
該直線偏光光源は、偏光素子に対して外向きに面光源を投射する光源射出面を設け、偏光素子の一側に光源を受光する受光面を設け、他側に空間信号を光源に取り込んで外向きに被検体に投射する発光面を設け、
該偏光シートは、相対する偏光素子の被検体の他側に位置し、被検体を透過する直線偏光光源を受光させ、偏光信号をフィルタリングし、
該偏光検出システムは、相対する被検体の偏光シートの他側に位置し、偏光シートでフィルタリングされて射出された偏光光源を受光して検出を行う撮像レンズを設ける偏光位置合わせ検出装置。
【請求項２】
前記直線偏光光源は、偏極特性を有する面光源であり、且つ光源射出面に面光源に偏光特性を発生させる偏光膜を設置し、光源射出面、偏光膜によって外向きに単一波長の光源を投射し、且つ該直線偏光光源は、発光ダイオード光源（ＬＥＤ）又は有機発光ダイオード（ＯＬＥＤ，Organic Light Emitting Diode）の光源であり、
該偏光素子は、液晶ポリマー（ＬＣＰ）の偏光解消素子であり、且つ線偏光を擬似ランダム偏光に変換するパターン化遅延器であることができ、偏光素子は、偏光状態分布信号の空間信号を直線偏光光源から投射される光源中に取り込み、偏光状態分布信号の空間信号を直線偏光光源が投射する光源に取り込み、偏光状態分布信号は、空間形態又は光波長の変化であり、
偏光シート（Polarizer）は、ナノオーダーのケイ酸ナトリウムを含むガラスシート（Nanoparticles in Sodium-Silicate Glass）であり、該検出システムは、光結合素子（ＣＣＤ、ChargeCoupled Device）であり、撮像レンズは、テレセントリックレンズ（Telecentric）である請求項１に記載の偏光位置合わせ検出装置。
【請求項３】
検出ステップが以下を含む偏光位置合わせ検出方法。
（Ａ）直線偏光光源の光源射出面によって光源を外向きに偏光素子へ投射し、
（Ｂ）偏光素子は、一側の受光面で光源を受光した後、空間信号を光源に取り込み、他側の発光面によって空間信号を含む光源を外向きに被検体へ投射し、
（Ｃ）光源が被検体を通過した後、偏光シートに投影され、偏光シートに光源内の偏光信号を除去させた後、光源を検出システムに投射させ、
（Ｄ）検出システムの撮像レンズは、偏光シートを通過した光源を受光し、被検体の偏光情報イメージ、偏光シートの偏光情報イメージを取得して検出を行い、
（Ｅ）偏光検出後の被検体、偏光シートを貼り合わせて、被検体の偏光位置合わせ検出を完成する。
【請求項４】
前記ステップ（Ａ）における直線偏光光源は偏極特性を有する面光源であり、光源出射面には面光源に偏光特性を発生させる偏光膜を設置し、光源射出面、偏光膜によって外向きに単一波長の光源を投射し、且つ該偏光光源は、ダイオード光源（ＬＥＤ）又は有機発光ダイオード（ＯＬＥＤ，Organic Light Emitting Diode）の光源であり、該ステップ（Ａ）、（Ｂ）における偏光素子は、液晶ポリマー（ＬＣＰ）の偏光解消素子であり、且つ線偏光を擬似ランダム偏光に変換するパターン化遅延器であることができ、偏光素子は、偏光状態分布信号の空間信号を直線偏光光源から投射される光源中に取り込み、偏光状態分布信号の空間信号を直線偏光光源が投射する光源に取り込み、偏光状態分布信号は、空間形態又は光波長の変化であり、前記ステップ（Ｃ）における偏光シート（Polarizer）は、ナノオーダーのケイ酸ナトリウムを含むガラスシート（Nanoparticles in Sodium-Silicate Glass）であり、
該ステップ（Ｃ）、（Ｄ）における検出システムは、光結合素子（ＣＣＤ、ChargeCoupled Device）であり、撮像レンズは、テレセントリックレンズ（Telecentric）である請求項３に記載の偏光位置合わせ検出方法。
【発明の詳細な説明】
【技術分野】
【０００１】
本発明は、偏光位置合わせ検出装置及び検出方法を提供し、特に被検体に対して偏光検出を行うことができる検出装置及び方法に関し、直線偏光光源投射面によって光源を偏光素子、被検体、偏光シートに透過した後、検出システムで検出を行い、被検体と偏光シートの貼合の目的を達成する。
【背景技術】
【０００２】
テクノロジーの絶え間ない進歩、イノベーションに従って、多くの日常生活における事物も顕著に変化し、例えば、人々が日常生活に見るテレビ又は映画等は、表示スクリーンに呈されるイメージが、早期の２次元イメージ（２Ｄ平面イメージ、Two Dimension）から、３次元立体画像（３Ｄ立体画像、Three Dimension）に変化して、人々のイメージを見る時の立体視覚イメージの異なる感受を満たし、更に３次元イメージ（３Ｄ立体画像）画面が呈する立体視覚効果によって、多くの業者が３Ｄ立体イメージを利用して、各式異なる迫真の臨場感、その場に身を投じているようなシミュレーションイメージ境界を演出し、例えば、バーチャルリアリティ（Virtual Reality，ＶＲ）技術、オーグメンテッドリアリティ（Augmented Reality，ＡＲ）技術、ミックスリアリティ（Mixed Reality，ＭＲ）技術又はシネマチックリアリティ（Cinematic Reality，ＣＲ）技術等は、現在各種ゲーム、テレビ又はイメージ等にしばしば応用される技術となっており、人々に３Ｄ立体イメージをみる視覚的知覚を提供する。
【０００３】
３Ｄ立体画像のイメージの呈現について、人の２つの眼の視差（Binocular Parallax）効果により形成され、且つ２つの眼の視差は、２つの眼がある位置の違い、視角の違いによりイメージコンテンツも微小に異なる効果を引き起こし、最後に、大脳で２つの眼が見る異なるイメージを融合し、３Ｄ立体イメージを生成している。立体画像が呈する技術について、大まかには特殊な設計の眼鏡をかけてみる眼鏡装着式（Stereoscopic）又は眼鏡を装着する必要がない裸眼でみる裸眼式（Auto Stereoscopic）に分けることができる。そのうち、眼鏡装着式の３Ｄ立体画像表示技術について、色差式〔即ち、光フィルタ眼鏡（Color Filter Glasses）〕、偏光式〔即ち、偏光眼鏡（Polarizing Glasses）〕及びアクティブシャッタ式〔即ち、シャッタ眼鏡（Shutter Glasses）〕等の各種タイプを含む。偏光式３Ｄ立体画像技術（Polarization  ３Ｄ）について、図６、図７、図８を参照し、応用は、受動式偏光眼鏡であり、光線が〔振動方向〕（ａ）を有する原理を利用してオリジナル画像（ｂ）を分解し、先ず画像（ｂ）を垂直偏光（ｂ１）及び水平偏光（ｂ２）の２組の画面に分け、その後、３Ｄ眼鏡（ｃ）の左右のレンズ（ｃ１、ｃ２）がそれぞれ異なる偏光方向の偏光レンズを採用し、使用者の左右の眼に左右のレンズ（ｃ１、ｃ２）によってそれぞれ２組の画面を受け取らせ、更に大脳で合成し、立体画像（ｄ）を形成する。
【０００４】
裸眼でみる立体画像の呈現は、使用者が特殊設計の眼鏡を装着する必要がなく、３Ｄ立体画像を見ることができるが、裸眼式の立体表示技術、例えば、レンチキュラーレンズ型（Lenticular len Type）立体イメージング技術は、レンズを用いて各表示情報の光線を屈折させてそれぞれ観覧者の左右の眼に導き、それが表示する立体画像は、位置及び角度等の制限を有し、従って、観覧者の観覧位置、角度も比較的多くの制限を受け、特殊設計の眼鏡を装着してみる眼鏡式３Ｄ立体画像表示技術は、眼鏡が呈する３Ｄ立体画像効果の方がより良好であり、観覧位置又は角度等の制限を受け難く、依然として大多数の業者に応用されている。しかしながら、偏光式眼鏡は、良好な３Ｄ立体画像表示効果を達成するため、検出、位置合わせによって左右のレンズの適合する偏光角度、偏光方向等を調整する必要があり、そうでなければ、偏光式眼鏡の使用時、偏光式眼鏡の貫通軸（直線偏光を透過する軸）が傾斜現象を発生することにより、クロストーク（Cross talk）を発生し、偏光式眼鏡の輝度に変化、暗転現象等の欠陥を発生させる。
【０００５】
また、前記の偏光位置合わせに応用する方式について、図９に示すように、偏光位置合わせを行う方式は、主に単色光源ｅによって偏光板ｆ、４分の１波長板ｇ、サンプルｈを透過して偏光検出器ｉにより受け取り、偏光検出器ｉにサンプルｈの偏光を測定させ、位相差と光軸を同時に高速に測定することができ、偏光板ｆとサンプルｈの測定精度は０．０１°に達することができるが、測定前に偏光板ｆを切断してベース測定治具に載せ、回転角度と計算をコンピュータで制御した後、ようやく浸透率などのパラメータを知ることができ、これら浸透率及びパラメータ等を使用し、偏光検出器ｉに測定して算出させ、測定作業が煩雑、複雑であり、且つ偏光板ｆとサンプルｈに対して単点測定を行うことができ、機器上で偏光板ｆとサンプルｈの貼合作業を即時に行うことができず、実際の応用、実施時には、依然として多くの改善すべき欠陥がある。
【０００６】
したがって、現在の偏光板の検出前作業でパラメータを取得する作業が煩雑な問題及び困難、並びに検出作業時に偏光板及びサンプルの貼合等を直接行うことができない面倒および欠陥を如何に解決するかは、業界に従事する関連業者が研究改善の方向を欲するところとなっている。
【先行技術文献】
【特許文献】
【０００７】
【特許文献１】特開２０１５−４１１０９号公報
【特許文献２】特開２０１４−７２７４８号公報
【発明の概要】
【発明が解決しようとする課題】
【０００８】
故に、発明者は、上記の問題及び欠陥に鑑み、関連資料を収集し、多方面の評価、検討によって、この業界に従事して累積した長年の経験により、試作及び修正を経て、ようやくこのような直線偏光光源を用いて面光源を順に偏光素子、被検体、偏光シートに透過させた後、検出システムによって光源を受号して検出し、被検体及び偏光面を貼合することができる偏光位置合わせ検出装置及び検出方法の発明を誕生させている。
【０００９】
本発明の目的は、該検出装置が直線偏光光源の光源射出面によって外向きに面光源を偏光素子の一側に投射する受光面を設け、偏光素子は、空間信号を光源に取り込み、光源を他側の発光面から外向きに投射し、光源は、被検体を透過して他側の偏光シートに投射し、偏光シートによって被検体の直線偏光光源を受光し、偏光信号をフィルタリングし、他側の検出システムの撮像レンズに投射し、検出システムによって直線偏光光源を検出し、被検体及び偏光シートに偏光検出を行い、貼合する目的を達成することにある。
【００１０】
本発明のもう１つの目的は、該直線偏光光源が偏極特性を有する面光源であり、且つ光源射出面に面光源に偏光特性を発生させることができる偏光膜を設置し、光源射出面、偏光膜によって外向きに単一波長の光源を投射し、偏光素子は、液晶ポリマー（ＬＣＰ）の偏光解消素子であり、且つ線偏光を擬似ランダム偏光に変換するパターン化遅延器であることができ、偏光素子は、偏光状態分布信号の空間信号を直線偏光光源から投射される光源中に取り込み、偏光状態分布信号の空間信号を直線偏光光源が投射する光源に取り込み、偏光状態分布信号は、空間形態又は光波長の変化であり、偏光シート（Polarizer）は、ナノオーダーのケイ酸ナトリウムを含むガラスシート（Nanoparticles in Sodium-Silicate Glass）であることにある。
【００１１】
本発明のもう１つの目的は、該検出システムは、光結合素子（ＣＣＤ、ChargeCoupled Device）であり、撮像レンズは、テレセントリックレンズ（Telecentric）であることにある。
【課題を解決するための手段】
【００１２】
本発明の偏光位置合わせ検出装置は、直線偏光光源、偏光素子、偏光シート及び検出システムを含み、該直線偏光光源は、偏光素子に対して外向きに面光源を投射する光源射出面を設け、偏光素子の一側に光源を受光する受光面を設け、他側に空間信号を光源に取り込んで外向きに被検体に投射する発光面を設け、該偏光シートは、相対する偏光素子の被検体の他側に位置し、被検体を透過する直線偏光光源を受光させ、偏光信号をフィルタリングし、該偏光検出システムは、相対する被検体の偏光シートの他側に位置し、偏光シートでフィルタリングされて射出された偏光光源を受光して検出を行う撮像レンズを設ける。
【発明の効果】
【００１３】
本発明の偏光位置合わせ検出装置及び検出方法は、透過軸の傾斜、クロストーク現象の発生を減少し、被検体、偏光シート等に適切な偏光角度を取得し、実際の応用時に更に安定した効果を有する。
【図面の簡単な説明】
【００１４】
【図１】本発明の立体外観図である。
【図２】本発明の立体分解図である。
【図３】本発明の好適実施例の検出方法のフロー図である。
【図４】本発明の偏光検出時の偏光情報イメージ図である。
【図５】本発明の偏光検出後の偏光情報イメージ図である。
【図６】従来の偏光型３Ｄ技術の光線振動方向の分解説明図（１）である。
【図７】従来の偏光型３Ｄ技術の光線振動方向の分解説明図（２）である。
【図８】従来の偏光型３Ｄ技術の光線振動方向の受信説明図である。
【図９】従来の偏光位置合わせ方式の側面図である。
【発明を実施するための形態】
【００１５】
上記目的及び効果を達成する為、本発明が採用する技術手段及びその構造、実施の方法を分かり易くするため、図面を合わせて、本発明の好適の実施例についてその特徴及び効果を以下に説明する。
【００１６】
図１、図２、図３、図４、図５を参照し、それは、本発明の立体外観図、立体分解図、好適実施例の検出方法のフロー図、偏光検出時の偏光情報イメージ図、偏光検出後の偏光情報イメージ図であり、図から明確に分かるように、本発明の偏光位置合わせ検出装置は、直線偏光光源１、偏光素子２、被検体３、偏光シート４及び検出システム５を含む。
【００１７】
該直線偏光光源１の一側は、光源出射面１１を有し、面光源を外側に向けて投射することができる。
【００１８】
該偏光素子２の二側は、それぞれ受光面２１、発光面２２を設ける。
【００１９】
該被検体３は、一般に偏極性を有さない自然光に偏極化を発生させ、偏極光に変換し、偏極光に対して応用し、イメージの表示効果に応用できる偏光フィルム（Polarizing Film）であることができる。
【００２０】
該偏光シート４（Polarizer）は、ナノオーダーのケイ酸ナトリウムを含むガラスシート（Nanoparticles in Sodium-Silicate Glass）等であることができ、天然光線を偏光光線に変えることができる光学部材である。
【００２１】
該検出システム５は、光結合素子（ＣＣＤ、ChargeCoupled Device）であることができ、一側に撮像レンズ５１が設けられ、撮像レンズ５１は、テレセントリックレンズ（Telecentric）であることができる。
【００２２】
上記各構成要素の実際の応用時、直線偏光光源１の光源射出面１１の外側に偏光素子２を設け、偏光素子２の一側の受光面２１を光源射出面１１に相対させ、偏光素子２他側の発光面２２の外側に順に被検体３、偏光シート４及び検出システム５を設置し、且つ検出システム５の撮像レンズ５１は、偏光シート４に位置合わせされ、直線偏光光源１の光源射出面１１に光源を投射させて偏向素子２、被検体３及び偏光シート４に透過した後、撮像レンズ５１に被検体３の偏光情報イメージ３１、偏光シートの偏光情報イメージ４１を取得させ、被検体３及び偏光シート４の光透過軸の位置、角度等の変化を分析させ、透過軸の傾斜、クロストーク現象の発生を減少させ、本発明の偏光位置合わせ検出装置を構成する。
【００２３】
上記直線偏光光源１は、偏光特性を有する面光源であり、発光ダイオード光源（ＬＥＤ）、有機発光ダイオード（ＯＬＥＤ，Organic Light Emitting Diode）等又はその他のタイプの光源であってもよく、光源出射面１１に偏光膜１２を設け、面光源に偏光特性を発生させることができ、光源射出面１１、偏光膜１２によって外向きに単一波長の光源を投射することができる。
【００２４】
上記偏光シート２は、液晶ポリマー（ＬＣＰ）の偏光解消素子であり、線偏光を疑似ランダム偏光に変換するパターン化遅延器であることができ、偏光素子２は、偏光状態分布信号の空間信号を直線偏光光源１から投射される光源中に取り込み、光の偏光は、ランダムであり、一般に単色光源の線偏光は、偏光解消素子を通過した後、偏光状態が空間変化に従って分布信号を発生する。広帯域光源の線偏光が偏光解消素子を通過すると、偏光状態は、空間形態又は光波長に従って変化し、分布信号を発生する。
【００２５】
さらに、本発明の偏光位置合わせ（アライメント）検出装置が実際の応用実施において、被検体３の偏光検出を行う時、検出方法のステップは、以下である。
【００２６】
（Ａ）直線偏光光源１の光源射出面１１によって光源を外向きに偏光素子２の受光面２１へ投射する。
【００２７】
（Ｂ）偏光素子２は、一側の受光面２１で光源を受光した後、空間信号を受け取った光源に取り込み、他側の発光面２２によって空間信号を含む光源を外向きに被検体３へ投射する。
【００２８】
（Ｃ）光源が被検体３を通過した後、偏光シート４に投影され、偏光シート４に光源内の偏光信号を除去させた後、光源を検出システム５に投射させる。
【００２９】
（Ｄ）検出システム５の撮像レンズ５１は、偏光シート４を通過した光源を受光して、被検体３の偏光情報イメージ３１、偏光シート４の偏光情報イメージ４１を取得して検出する。
【００３０】
（Ｅ）偏光検出後の被検体３、偏光シート４を貼り合わせて、被検体３の偏光位置合わせ検出を完成することができる。
【００３１】
上記工程（Ａ）の直線偏光光源１は、偏極特性を有する面光源であり、発光ダイオード光源（ＬＥＤ）又は有機発光ダイオード（ＯＬＥＤ， Organic Light Emitting Diode）等又はその他のタイプの光源であり、光源射出面１１に偏光膜１２を設け、レーザ光源に偏光特性を発生させることができ、光源射出面１１、偏光膜１２によって外向きに単一波長の光源を投射することができる。
【００３２】
上記工程（Ｂ）の偏光シート２は、液晶ポリマー（ＬＣＰ）の偏光解消素子であることができ、線偏光を疑似ランダム偏光に変換するパターン化遅延器であることができ、偏光素子２は、偏光状態分布信号の空間信号を直線偏光光源１から投射される光源中に取り込み、光の偏光は、ランダムであり、一般に単色光源の線偏光は、偏光解消素子を通過した後、偏光状態が空間変化に従って分布信号を発生する。広帯域光源の線偏光が偏光解消素子を通過すると、偏光状態は、空間形態又は光波長に従って変化し、分布信号を発生する。
【００３３】
また、上記工程（Ｃ）の被検体３は、一般に偏極性を有さない自然光に偏極化を発生させ、偏極光に変換し、偏極光に対して応用し、イメージの表示効果に応用できる偏光フィルム（Polarizing Film）であることができ、ナノオーダーのケイ酸ナトリウムを含むガラスシート（Nanoparticles in Sodium-Silicate Glass）等であることができ、天然光線を偏光光線に変えることができる光学部材である。
【００３４】
該ステップ（Ｄ）の検出システム５は、光結合素子（ＣＣＤ、ChargeCoupled Device）であることができ、一側に撮像レンズ５１が設けられ、撮像レンズ５１は、光源を受け取るテレセントリックレンズ（Telecentric）であることができ、被検体３の偏光情報を有するイメージを取得し、偏光光源の強度変化を用いて、被検体３及び偏光シート４に偏光位置合わせ検出を行い、被検体３及び偏光シート４にずれ、歪みを生じた偏光情報イメージ３１、４１を呈させ（図４（ａ）、図４（ｂ）を同時に参照）、被検体３及び偏光シート４を位置決めする光透過軸位置、角度等の変化を与え、被検体３及び偏光シート４上の偏光情報イメージ３１、４１に位置合わせ、重ね合わせを呈させ（図５（ａ）、（ｂ）を同時に参照）、透過軸の傾斜、クロストーク現象の発生を減少させることができ、更に、被検体３と偏光シート４を貼合し、光学レンズ、計器のメータパネル、電子製品又は３Ｃ製品（例えば、電子辞書、ＭＰ３、ＭＰ４、ＡＲ、ＶＲ、スマートフォン、タブレットＰＣ、デジタルカメラ、パソコンスクリーン、液晶ディスプレイ又はテレビスクリーン等）のパネル等に応用することができる。
【００３５】
従って、以上の説明は本発明の好適な実施例というだけであり、本発明の保護範囲を制限するものではなく、本発明の偏光位置合わせ検出装置及び検出方法は、直線偏光光源１の光源射出面１１を用いて光源を偏光素子２の受光面２１に投射し、偏光素子２は、空間信号を光源に取り込んだ後、他側の発光面２２は、外向きに被検体３に投射し、被検体３を透過した光源を偏光シート４に透過させ、直線偏光光源を、空間分布を有する偏光状態に変化させ、直線偏光光源を検出システム５の撮像レンズ５１に伝送し、撮像レンズ５１によって、被検体３の偏光情報イメージ３１、偏光シート４の偏光情報イメージを取得し、検出システム５により被検体３及び偏光シート４の偏光方向、角度を計算し、被検体３、偏光シート４に対して光学位置合わせ、検出及び貼合を行う目的を達成でき、且つ被検体３、偏光シート４等に透過軸の傾斜、クロストーク現象が発生することを減少し、被検体３、偏光シート４の応用時の安定性を向上し、故に前述の効果を達成できる構造、装置は、何れも本発明に含まれるべきであり、これらの簡易な修飾及び均等構造の変化は、何れも本発明の保護範囲に含まれるべきである。
【００３６】
故に、本発明は、主に偏光位置合わせ検出装置及び検出方法に対して設計しており、直線偏光光源の光源射出面を用いて面光源を偏光素子に投射し、偏光素子は、空間信号を光源に取り込んで被検体に投射し、光源を被検体に透過させた後、偏光シートに投射し、検出システムの撮像レンズによって光源を受光し、被検体の偏光情報イメージ、偏光シートの偏光情報イメージを取得し、検出システムに被検体、偏光シート等の方向、角度等を計算させ、被検体、偏光シート等に対して光学位置合わせ検出を行い、即時に貼合を行うことができることが主な保護の要点であり、且つ透過軸の傾斜、クロストーク現象の発生を減少し、被検体、偏光シート等に適切な偏光角度を取得し、実際の応用時に更に安定した効果を有するが、上記は、本発明の好適実施例に過ぎず、本発明の保護範囲をこれにより限定するものではなく、本発明の明細書及び図面の内容を運用して行う簡易な修飾及び均等構造の変化は、何れも同様に本発明の範囲に含まれるべきである。
【００３７】
上記を総合し、本発明の上記の偏光位置合わせ検出装置及び検出方法は、実際の実行、実施時、その効果及び目的を確実に達成でき、本発明は、実用性に優れた開発である。
【符号の説明】
【００３８】
１  直線偏光光源
１１  光源射出面
１２  偏光膜
２１  受光面
２２  発光面
３  被検体
３１  偏光情報イメージ
４  偏光シート
４１  偏光情報イメージ
５  検出システム
５１  撮像レンズ
ａ  振動方向
ｂ  画像
ｂ１  垂直偏光
ｂ２  水平偏光
ｃ  ３Ｄ眼鏡
ｃ１  左レンズ
ｃ２  右レンズ
ｄ  立体画像
ｅ  単色光源
ｆ  偏光板
ｇ  １／４波長板
ｈ  サンプル
ｉ  偏光検出器
【図１】
2020148522.tif 000003
【図２】
2020148522.tif 000004
【図３】
2020148522.tif 000005
【図４】
2020148522.tif 000006
【図５】
2020148522.tif 000007
【図６】
2020148522.tif 000008
【図７】
2020148522.tif 000009
【図８】
2020148522.tif 000010
【図９】
2020148522.tif 000011
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
直線偏光光源、偏光素子、偏光シート及び検出システムを含み、
該直線偏光光源は、偏光素子に対して外向きに面光源を投射する光源射出面を設け、偏光素子の一側に光源を受光する受光面を設け、他側に空間信号を光源に取り込んで外向きに被検体に投射する発光面を設け、
該偏光シートは、相対する偏光素子の被検体の他側に位置し、被検体を透過する直線偏光光源を受光させ、偏光信号をフィルタリングし、
前記検出システムは、相対する被検体の偏光シートの他側に位置し、偏光シートでフィルタリングされて射出された偏光光源を受光して検出を行う撮像レンズを設ける偏光位置合わせ検出装置。
【請求項２】
前記直線偏光光源は、偏極特性を有する面光源であり、且つ光源射出面に面光源に偏光特性を発生させる偏光膜を設置し、光源射出面、偏光膜によって外向きに単一波長の光源を投射し、且つ該直線偏光光源は、発光ダイオード光源（ＬＥＤ）又は有機発光ダイオード（ＯＬＥＤ，Organic Light Emitting Diode）の光源であり、
該偏光素子は、液晶ポリマー（ＬＣＰ）の偏光解消素子であり、且つ線偏光を擬似ランダム偏光に変換するパターン化遅延器であることができ、偏光素子は、偏光状態分布信号の空間信号を直線偏光光源から投射される光源中に取り込み、偏光状態分布信号の空間信号を直線偏光光源が投射する光源に取り込み、偏光状態分布信号は、空間形態又は光波長の変化であり、
偏光シート（Polarizer）は、ナノオーダーのケイ酸ナトリウムを含むガラスシート（Nanoparticles in Sodium-Silicate Glass）であり、該検出システムは、光結合素子（ＣＣＤ、ChargeCoupled Device）であり、撮像レンズは、テレセントリックレンズ（Telecentric）である請求項１に記載の偏光位置合わせ検出装置。
【請求項３】
検出ステップが以下を含む偏光位置合わせ検出方法。
（Ａ）直線偏光光源の光源射出面によって光源を外向きに偏光素子へ投射し、
（Ｂ）偏光素子は、一側の受光面で光源を受光した後、空間信号を光源に取り込み、他側の発光面によって空間信号を含む光源を外向きに被検体へ投射し、
（Ｃ）光源が被検体を通過した後、偏光シートに投影され、偏光シートに光源内の偏光信号を除去させた後、光源を検出システムに投射させ、
（Ｄ）検出システムの撮像レンズは、偏光シートを通過した光源を受光し、被検体の偏光情報イメージ、偏光シートの偏光情報イメージを取得して検出を行い、
（Ｅ）偏光検出後の被検体、偏光シートを貼り合わせて、被検体の偏光位置合わせ検出を完成する。
【請求項４】
前記ステップ（Ａ）における直線偏光光源は偏極特性を有する面光源であり、光源出射面には面光源に偏光特性を発生させる偏光膜を設置し、光源射出面、偏光膜によって外向きに単一波長の光源を投射し、且つ該直線偏光光源は、ダイオード光源（ＬＥＤ）又は有機発光ダイオード（ＯＬＥＤ，Organic Light Emitting Diode）の光源であり、該ステップ（Ａ）、（Ｂ）における偏光素子は、液晶ポリマー（ＬＣＰ）の偏光解消素子であり、且つ線偏光を擬似ランダム偏光に変換するパターン化遅延器であることができ、偏光素子は、偏光状態分布信号の空間信号を直線偏光光源から投射される光源中に取り込み、偏光状態分布信号の空間信号を直線偏光光源が投射する光源に取り込み、偏光状態分布信号は、空間形態又は光波長の変化であり、前記ステップ（Ｃ）における偏光シート（Polarizer）は、ナノオーダーのケイ酸ナトリウムを含むガラスシート（Nanoparticles in Sodium-Silicate Glass）であり、
該ステップ（Ｃ）、（Ｄ）における検出システムは、光結合素子（ＣＣＤ、ChargeCoupled Device）であり、撮像レンズは、テレセントリックレンズ（Telecentric）である請求項３に記載の偏光位置合わせ検出方法。